(57)【要約】      （修正有）【課題】簡単な構造で、本体の一部に取り換え可能なキャップ方式による浄水カートリッジ交換時期を案内する表示機能を備えたシャワーヘッドを提供する。【解決手段】浄水カートリッジの交換時期を案内するための表示機能を備えた浄水カートリッジ交換時期案内付きシャワーヘッド１０であって、シャワーヘッド本体の裏側略中央部に取り換え可能なキャップ方式による月表示部２０を設置する。月表示部は、回転自在な矢印３０と１乃至１２までの数字による月案内４０が表示されていることが好ましい。【選択図】図１
0003200170.tif 000002
【実用新案登録請求の範囲】
【請求項１】
浄水カートリッジの交換時期を案内するための表示機能を備えた浄水カートリッジ交換時期案内付きシャワーヘッドであって、
シャワーヘッド本体の裏側略中央部に取り換え可能なキャップ方式による月表示部を設置することを特徴とする浄水カートリッジ交換時期案内付きシャワーヘッド。
【請求項２】
前記取り換え可能なキャップ方式による月表示部は、回転自在な矢印と１乃至１２までの数字による月案内が表示されていることを特徴とする請求項１に記載の浄水カートリッジ交換時期案内付きシャワーヘッド。
【考案の詳細な説明】
【技術分野】
【０００１】  本考案は、浄水カートリッジ搭載シャワーヘッドの浄水カートリッジの交換時期を案内するための機能を備えたシャワーヘッドに関する。さらに言えば、シャワーヘッド本体の一部に取り換え可能なキャップ方式による交換時期を案内するための表示機能を備えた浄水カートリッジ交換時期案内付きシャワーヘッドに関する。
【背景技術】
【０００２】  シャワーヘッドには、水道水に含まれる塩素により肌や髪へのダメージを回避するため、又はアトピー対策等のため、脱塩素を目的として浄水カートリッジが搭載されているものがある。通常、浄水カートリッジ搭載シャワーヘッドの場合、浄水カートリッジの定期的（３ヶ月程度の使用、又は８０００Ｌ程度の通水）な交換が必要である。交換時期を案内するための機能として、シャワーヘッド本体に組み込まれたダイヤル方式が一般的であった。しかしながら、シャワーヘッド本体に組み込まれているため、長年の使用により「月」の印字等が消えてしまうこともあり、そして、「月」の印字された箇所が、何らかの原因で破損してしまうとシャワーヘッド本体自体を交換する必要があり好ましく無かった。【０００３】  特許文献１には、フィルタ交換を事前に警告する装置を備えた手持ち式シャワーヘッドを提供する（特許文献１：課題）ことを課題として、「着脱式の警告ポッドを収容する円形のくぼみソケットが、シャワーヘッド外殻の反対側に形成されている。測定および表示機能のために、信号回路装置が警告ポッドに埋め込まれる。警告ポッドは、通常の測定および警告機能の場合はくぼみソケットに挿入され、電池を充電する作業の場合はくぼみソケット１１３から取り外すことができる。これによりシャワーヘッド外殻に適切に動力を与えるだけでなく、充電作業を独立して行なうために警告ポッドをシャワーヘッド外殻から切り離すこともできる（特許文献１：解決手段）。」が開示されている。
【先行技術文献】
【特許文献】
【０００４】
【特許文献１】特開２０１４−３６８３４号公報
【考案の概要】
【考案が解決しようとする課題】
【０００５】  特許文献１に係る技術は、浄水カートリッジの交換時期を案内するという目的を達成するためだけのためにシャワーヘッド本体自体の構造が複雑な上、さらに信号回路装置、マイクロプロセッサ、ＬＣＤディスプレイ回路、充電式電池、磁気リードスイッチ等を必要とするものである。即ち、構造が複雑な上、種々の電子回路を必要とするものでメンテナンスも大変であり、言うまでもない事であるが製造コストも掛かってしまい好ましく無い。【０００６】  本考案の目的は、簡単な構造であってもシャワーヘッド本体の一部に取り換え可能なキャップ方式による浄水カートリッジ交換時期を案内する表示機能を備えたシャワーヘッドを提供することにある。
【課題を解決するための手段】
【０００７】  上記課題を解決するために、請求項１に記載した考案は、浄水カートリッジの交換時期を案内するための表示機能を備えた浄水カートリッジ交換時期案内付きシャワーヘッドであって、シャワーヘッド本体の裏側略中央部に取り換え可能なキャップ方式による月表示部を設置することを特徴とする浄水カートリッジ交換時期案内付きシャワーヘッドであることを特徴とするものである。【０００８】  請求項２に記載した考案は、請求項１に記載した考案において、前記取り換え可能なキャップ方式による月表示部は、回転自在な矢印と１乃至１２までの数字による月案内が表示されている浄水カートリッジ交換時期案内付きシャワーヘッドであることを特徴とするものである。
【考案の効果】
【０００９】  本考案によれば、簡単な構造であってもシャワーヘッド本体の一部に取り換え可能なキャップ方式による浄水カードリッジ交換時期を案内する表示機能を備えたシャワーヘッドを提供することができるようになった。
【図面の簡単な説明】
【００１０】
【図１】本考案に係る浄水カートリッジ交換時期案内付きシャワーヘッドの全体裏面図及び月表示部分拡大図である。
【図２】浄水カートリッジ交換時期案内付きシャワーヘッドの全体側面図である。
【考案を実施するための形態】
【００１１】＜浄水カートリッジ交換時期案内付きシャワーヘッドの構造＞
以下、本考案に係る浄水カートリッジ交換時期案内付きシャワーヘッド１０について、図１〜図２を参照しつつ詳細に説明する。図１は、本考案に係る浄水カートリッジ交換時期案内付きシャワーヘッドの全体裏面図である。
【００１２】  図１に記載したように、本考案に係る浄水カートリッジ交換時期案内付きシャワーヘッド１０は、シャワーヘッド本体の裏側略中央部に取り換え可能なキャップ方式による月表示部２０が設置されている。
【００１３】  シャワーヘッド本体の裏側略中央部に取り換え可能なキャップ方式による月表示部２０であるため、長年の使用により「月」の印字が消えてしまったとしても、そして、「月」の印字された箇所が、何らかの原因で破損してしまったとしても、キャップ方式による月表示部２０のみを交換すれば良く、従来のダイヤル方式のようにシャワーヘッド本体自体を交換する必要が無くなった。
【００１４】  図２は、浄水カートリッジ交換時期案内付きシャワーヘッドの全体側面図である。現状においてシャワーヘッドは、筒状の本体に供給された圧力水で筒状本体内に負圧を形成し、この負圧で吸気口から外気を吸引するとともに、吸引した外気を圧力水に混入して混気ジェットをシャワー状に散水するようにしたものがある。ところが、散水部でのゴミなどのつまりにより筒状本体内の圧力が高くなると、筒状本体内の圧力水が吸気口から外部に逆流する問題があり、かかる状況に対処するために吸気口部分に逆止弁を設けている。
【００１５】  本考案に係る浄水カートリッジ交換時期案内付きシャワーヘッド１０は、ちょうど逆止弁が設置されている箇所を覆い隠すように、シャワーヘッド本体の裏側略中央部に取り換え可能なキャップ方式による月表示部２０が設置されている。
【００１６】＜浄水カートリッジ交換時期案内付きシャワーヘッドの使用方法＞
本考案に係る浄水カートリッジ交換時期案内付きシャワーヘッド１０は、キャップ方式による月表示部２０に設置された回転自在な矢印３０を手動にて回し、キャップ方式による月表示部２０に設置された月案内４０に合わせるだけである。
【００１７】  例えば、浄水カートリッジを「６月」に交換した場合、浄水カートリッジの定期的な交換時期は３ヶ月程度の使用であるので、キャップ方式による月表示部２０に設置された回転自在な矢印３０を手動にて回し、キャップ方式による月表示部２０に設置された月案内４０を「９月」に合わせることになる。
【００１８】＜浄水カートリッジ交換時期案内付きシャワーヘッドの効果＞
本考案のポイントは、長年の使用により「月」の印字が消えてしまったり、「月」の印字された箇所が、何らかの原因で破損してしまったとしても、その部分のみを交換する取り換え可能なキャップ方式による浄水カートリッジ交換時期を案内する表示機能を備えたシャワーヘッドを提供することができるようになったことにある。
【００１９】  本考案によれば、シャワーヘッド本体の裏側略中央部に取り換え可能なキャップ方式による月表示部を設置するだけという簡単な構造であっても、シャワーヘッド本体の一部に取り換え可能なキャップ方式による浄水カートリッジ交換時期を案内する表示機能を備えたシャワーヘッドを提供することができるようになった。
【００２０】＜浄水カートリッジ交換時期案内付きシャワーヘッドの変更例＞
本考案に係る浄水カートリッジ交換時期案内付きシャワーヘッド１０の構成は、上記実施形態の態様に何ら限定されるものではなく、キャップ方式による月表示部２０、回転自在な矢印３０、月案内４０等の構成を、本考案の趣旨を逸脱しない範囲で、必要に応じて適宜変更することができる。
【産業上の利用可能性】
【００２１】  本考案に係る浄水カートリッジ交換時期案内付きシャワーヘッドは、上記の如く優れた効果を奏するものであるので、浄水カートリッジを搭載したシャワーヘッドに関する分野において好適に用いることができる。
【符号の説明】
【００２２】  １０・・浄水カートリッジ交換時期案内付きシャワーヘッド
２０・・キャップ方式による月表示部
３０・・回転自在な矢印
４０・・月案内
【図１】
0003200170.tif 000003
【図２】
0003200170.tif 000004